【手続補正書】
【提出日】平成18年3月7日(2006.3.7)
【手続補正１】
【補正対象書類名】明細書
【補正対象項目名】特許請求の範囲
【補正方法】変更
【補正の内容】
【特許請求の範囲】
【請求項１】  駆動力を印加することにより磁性体の磁化ベクトルの方向を変化させるようにした磁化駆動方法であって、
上記駆動力を、その印加以前の始状態における上記磁性体の磁化ベクトルに対してほぼ垂直方向にパルス的に印加するようにした
ことを特徴とする磁化駆動方法。
【請求項２】  磁性体からなる情報担体と、
上記情報担体の磁化ベクトルの方向を変化させるための駆動力印加手段とを有し、
上記情報担体の磁化方向によって２値またはそれ以上の多値の情報を扱う磁気機能素子であって、
上記駆動力は、その印加以前の始状態における上記情報担体の磁化ベクトルに対してほぼ垂直方向にパルス的に印加される
ことを特徴とする磁気機能素子。
【請求項３】  上記情報担体と上記駆動力印加手段とが基板上に一体に組み合わされて設けられ、固体素子として機能することを特徴とする請求項２記載の磁気機能素子。
【請求項４】  上記駆動力として磁気異方性を起源とする有効磁場を利用することを特徴とする請求項２記載の磁気機能素子。
【請求項５】  上記駆動力として上記情報担体に結合された別の磁性体からおよばされる交換相互作用を起源とする有効磁場を利用することを特徴とする請求項２記載の磁気機能素子。
【請求項６】  上記情報担体を構成する上記磁性体として一軸磁気異方性を有する磁性体を用い、その磁化容易軸に沿った正逆の磁化方向によって２値の情報を扱う磁気機能素子であって、磁化反転の駆動力が上記情報担体の磁化容易軸とほぼ垂直方向に印加されることを特徴とする請求項２記載の磁気機能素子。
【請求項７】  一軸磁気異方性を有する磁性体からなる情報担体と、
上記情報担体の磁化ベクトルの方向を反転させるための駆動力を上記情報担体の静状態の磁化容易軸とほぼ垂直方向にパルス的に印加するための駆動力印加手段とを有し、
上記情報担体の磁化方向によって２値の情報を扱う磁気機能素子であって、
上記駆動力は、上記情報担体の上記静状態の磁化容易軸とほぼ垂直方向が磁化容易軸となるような磁気異方性を発生させることにより発生される
ことを特徴とする磁気機能素子。
【請求項８】  上記駆動力を印加することにより発生される上記磁気異方性は応力誘起磁気異方性であることを特徴とする請求項７記載の磁気機能素子。
【請求項９】  上記情報担体は上記静状態の磁化容易軸をその面に垂直方向に有する垂直磁化膜からなり、上記駆動力が上記情報担体の面にほぼ平行方向に印加されることを特徴とする請求項７記載の磁気機能素子。
【請求項１０】  一軸磁気異方性を有する磁性体からなる情報担体と、
上記情報担体の磁化ベクトルの方向を反転させるための駆動力を上記情報担体の静状態の磁化容易軸とほぼ垂直方向にパルス的に印加するための駆動力印加手段とを有し、
上記情報担体の磁化方向によって２値の情報を扱う磁気機能素子であって、
上記駆動力は、上記情報担体に隣接して設けられた別の磁性体からの交換相互作用により発生される
ことを特徴とする磁気機能素子。
【請求項１１】  上記情報担体は上記静状態の磁化容易軸をその面内に有する薄膜または平板状の磁性体からなり、上記駆動力が上記情報担体の面にほぼ垂直方向に印加されることを特徴とする請求項１０記載の磁気機能素子。
【請求項１２】  上記情報担体は上記静状態の磁化容易軸をその面に垂直方向に有する垂直磁化膜からなり、上記駆動力が上記情報担体の面にほぼ平行方向に印加されることを特徴とする請求項１０記載の磁気機能素子。
【請求項１３】  上記情報担体を構成する上記垂直磁化膜からなる被制御磁性層と固定磁化層とが結合制御層を介して積層された構造を有し、上記結合制御層の働きにより上記被制御磁性層と上記固定磁化層との間の交換相互作用の強さを変化させるようにしたことを特徴とする請求項１０記載の磁気機能素子。
【請求項１４】  一軸磁気異方性を有する磁性体からなる情報担体と、
上記情報担体の磁化ベクトルの方向を反転させるための駆動力を上記情報担体の静状態の磁化容易軸とほぼ垂直方向にパルス的に印加するための駆動力印加手段とを有し、
上記情報担体の磁化方向によって２値の情報を扱う磁気機能素子であって、
上記駆動力は、上記情報担体の外部から印加される磁場である
ことを特徴とする磁気機能素子。
【請求項１５】  一軸磁気異方性を有する磁性体からなる情報担体と、
上記情報担体の磁化ベクトルの方向を反転させるための駆動力を上記情報担体の静状態の磁化容易軸とほぼ垂直方向にパルス的に印加するための駆動力印加手段とを有し、
上記情報担体の磁化方向によって２値の情報を扱う磁気機能素子であって、
上記情報担体は、２層以上の磁性体層が積層された複合構造を有する
ことを特徴とする磁気機能素子。
【請求項１６】  上記情報担体を構成する上記２層以上の磁性体層はその面にほぼ垂直方向に磁化容易軸を有する磁性体層を含むことを特徴とする請求項１５記載の磁気機能素子。
【請求項１７】  上記情報担体を構成する上記２層以上の磁性体層は、異方性付与層と歪みによって敏感に磁気異方性が変化する磁性薄膜とからなることを特徴とする請求項１５記載の磁気機能素子。
【請求項１８】  一軸磁気異方性を有する磁性体からなる情報担体と、
上記情報担体の磁化ベクトルの方向を反転させるための駆動力を上記情報担体の静状態の磁化容易軸とほぼ垂直方向にパルス的に印加するための駆動力印加手段とを有し、
上記情報担体の磁化方向によって２値の情報を扱う磁気機能素子であって、
上記情報担体の静状態の磁化ベクトルが上記静状態の磁化容易軸に対して所定の角度傾斜している
ことを特徴とする磁気機能素子。
【請求項１９】  Ａ．磁性体からなる情報担体と、
上記情報担体の磁化ベクトルの方向を変化させるための駆動力印加手段とを有し、
上記情報担体の磁化方向によって２値またはそれ以上の多値の情報を扱う磁気機能素子であって、
上記駆動力は、その印加以前の始状態における上記情報担体の磁化ベクトルに対してほぼ垂直方向にパルス的に印加される磁気機能素子と、
Ｂ．ホール効果または磁気抵抗効果により上記磁気機能素子の上記情報担体の磁化方向を読み出す手段と
を有することを特徴とする磁気装置。
【請求項２０】  Ａ．一軸磁気異方性を有する磁性体からなる情報担体と、
上記情報担体の磁化ベクトルの方向を反転させるための駆動力を上記情報担体の静状態の磁化容易軸とほぼ垂直方向にパルス的に印加するための駆動力印加手段とを有し、
上記情報担体の磁化方向によって２値の情報を扱う磁気機能素子であって、
上記駆動力は、上記情報担体の上記静状態の磁化容易軸とほぼ垂直方向が磁化容易軸となるような磁気異方性を発生させることにより発生される磁気機能素子と、
Ｂ．ホール効果または磁気抵抗効果により上記磁気機能素子の上記情報担体の磁化方向を読み出す手段と
を有することを特徴とする磁気装置。
【請求項２１】  Ａ．一軸磁気異方性を有する磁性体からなる情報担体と、
上記情報担体の磁化ベクトルの方向を反転させるための駆動力を上記情報担体の静状態の磁化容易軸とほぼ垂直方向にパルス的に印加するための駆動力印加手段とを有し、
上記情報担体の磁化方向によって２値の情報を扱う磁気機能素子であって、
上記駆動力は、上記情報担体に隣接して設けられた別の磁性体からの交換相互作用により発生される磁気機能素子と、
Ｂ．ホール効果または磁気抵抗効果により上記磁気機能素子の上記情報担体の磁化方向を読み出す手段と
を有することを特徴とする磁気装置。
【請求項２２】  Ａ．一軸磁気異方性を有する磁性体からなる情報担体と、
上記情報担体の磁化ベクトルの方向を反転させるための駆動力を上記情報担体の静状態の磁化容易軸とほぼ垂直方向にパルス的に印加するための駆動力印加手段とを有し、
上記情報担体の磁化方向によって２値の情報を扱う磁気機能素子であって、
上記駆動力は、上記情報担体の外部から印加される磁場である磁気機能素子と、
Ｂ．ホール効果または磁気抵抗効果により上記磁気機能素子の上記情報担体の磁化方向を読み出す手段と
を有することを特徴とする磁気装置。
【請求項２３】  Ａ．一軸磁気異方性を有する磁性体からなる情報担体と、
上記情報担体の磁化ベクトルの方向を反転させるための駆動力を上記情報担体の静状態の磁化容易軸とほぼ垂直方向にパルス的に印加するための駆動力印加手段とを有し、
上記情報担体の磁化方向によって２値の情報を扱う磁気機能素子であって、
上記情報担体は、２層以上の磁性体層が積層された複合構造を有する磁気機能素子と、
Ｂ．ホール効果または磁気抵抗効果により上記磁気機能素子の上記情報担体の磁化方向を読み出す手段と
を有することを特徴とする磁気装置。
【請求項２４】  Ａ．一軸磁気異方性を有する磁性体からなる情報担体と、
上記情報担体の磁化ベクトルの方向を反転させるための駆動力を上記情報担体の静状態の磁化容易軸とほぼ垂直方向にパルス的に印加するための駆動力印加手段とを有し、
上記情報担体の磁化方向によって２値の情報を扱う磁気機能素子であって、
上記情報担体の静状態の磁化ベクトルが上記静状態の磁化容易軸に対して所定の角度傾斜している磁気機能素子と、
Ｂ．ホール効果または磁気抵抗効果により上記磁気機能素子の上記情報担体の磁化方向を読み出す手段と
を有することを特徴とする磁気装置。